(57)【要約】      （修正有）【課題】ゴルフの打撃練習のとき、一打ごとに手や身体に伝わってくる打撃感覚によって、スイートスポットで打てたのかどうかを判別できるゴルフクラブのフエース面上に貼る突状部を設けたプレートを提供する。【解決手段】フエース面上に貼る突状部を設けたプレート（１）は、外形形状（３）が左右対称で、短直線からなる側辺（１１）と、凹状の湾曲線を有する底辺（５）と、凸状の湾曲線を有するトップエッジ辺（６）とで囲まれる形状をなしており、中央に突状部（２）をフエース面の中心の箇所にあるスイートスポットの位置に重なるように形成して、打球方向に突出させて、さらにその突状部（２）に、ボールに良い回転が与えられるように３本から８本の横溝を設けている。突状部（２）でボールを打つと、スイートスポットでボールを打ったときの打撃感覚、もしくはスイートスポット以外でボールを打ったときの打撃感覚の違いが良く理解できる。【選択図】図１
2007037937.tif 000002
【特許請求の範囲】
【請求項１】
ゴルフクラブのフエース面上に貼ることのできるプレートで、そのプレートの中央部に直径の円の大きさ１０ｍｍから３０ｍｍの突状部の箇所を設けて、その突状部を１ｍｍから１５ｍｍの厚さを打球方向に突出させたことを特徴とするゴルフクラブのフエース面上に貼る突状部を設けたプレート。
【請求項２】
前記突状部を設けたプレートの、円形の突状部の上半分の半円はその位置から動かさずに、１０ｍｍから１５ｍｍ下半分の半円を凹状の湾曲線を有する底辺の方向にひろげて、突状部を楕円形にしたことを特徴とする請求項１に記載したゴルフクラブのフエース面上に貼る突状部を設けたプレート。
【請求項３】
前記突状部を設けたプレートの、円形の突状部の外周から外形形状のすべての外周の端部に向かって傾斜していることを特徴とする請求項１乃至２のいずれか１項に記載したゴルフクラブのフエース面上に貼る突状部を設けたプレート。
【請求項４】
前記突状部を設けたプレートの、突状部の上端部の厚さを、突状部の下端部よりも厚くしたことを特徴とする請求項１乃至３のいずれか１項に記載したゴルフクラブのフエース面上に貼る突状部を設けたプレート。
【請求項５】
突状部だけを円柱形に形成したことを特徴とするプレートで、厚さを１ｍｍから１５ｍｍとして形成した、ゴルフクラブのフエース面上に貼る円柱形のプレート。
【請求項６】
前記突状部を設けたプレートの突状部には、３本から８本の横溝を設けたことを特徴とする請求項１乃至５のいずれか１項に記載したゴルフクラブのフエース面上に貼る突状部を設けたプレート。
【発明の詳細な説明】
【技術分野】
【０００１】  本発明は、ゴルフクラブのフエース面にあるスイートスポットの箇所で、ボールを打つことができたのかどうかを理解できるように形成された、ゴルフクラブのフエース面上に貼ることのできるプレートに関するものである。
【背景技術】
【０００２】  従来、ボールを打った後でゴルフクラブのフエース面上に貼り付けたシールやカードについた打痕を見て、スイートスポットでボールを打つことができたのかどうかを確認するという、ゴルフクラブのフエース面上に貼るボール衝突点変色シールや、ゴルフクラブのフエース面上に貼る打痕表示カードが開示されている。
【特許文献１】特開２００１−３４０５００号
【特許文献２】特開２００２−２７２８９３号
【実開文献３】
実開昭５８−０７７７７１号
【発明の開示】
【発明が解決しようとする課題】
【０００３】  しかし、特開２００１−３４０５００号や特開２００２−２７２８９３号に開示されたゴルフクラブのフエース面上に貼るボール衝突点変色シール、それに実開昭５８−０７７７７１号に開示された打痕表示カードは、ボールがゴルフクラブのフエース面上に貼り付けたボール衝突点変色シールや打痕表示カードに当たり打球痕をボール衝突点変色シールや打痕表示カードに残すのであって、スイートスポットでボールを打てたのかどうかは、そのつどゴルフクラブのフエース面上に貼り付けてあるボール衝突点変色シールや打痕表示カードを見なくては判別できないという問題点があった。【０００４】  また、ゴルフクラブのフエース面上に貼るボール衝突点変色シールや打痕表示カードは薄い一枚のシールやカードであるので、衝突点変色シールや打痕表示カードを一枚ゴルフクラブのフエース面上に貼り付けたゴルフクラブでボールを打っても、手の感覚や身体の感覚にはスイートスポットで打つことができたのかどうかまったく伝わらない。だから打撃練習でボールを一打打つごとに、スイートスポットで打てたのかどうかが判る程度の衝撃が、手や身体に伝達されるゴルフクラブのフエース面上に貼るプレートの開発が望まれた。
【課題を解決するための手段】
【０００５】  すなわち本発明は、多くのゴルフクラブのフエース面や、多くのアイアンゴルフクラブのフエース面に対応可能で、ゴルフクラブのフエース面上への貼り付けが簡単にできて、また打撃練習によってボールをゴルフクラブのフエース面のどこで打ったのか、ゴルフクラブフエース面上に貼り付けてある打痕表示カードを目で見て確認しなくても、スイートスポットで打てたのかどうかは一打ごとに、手や身体へ爽快な打撃感覚や不快な打撃感覚が伝わってくるように形成した、ゴルフクラブのフエース面上に貼る突状部を設けたプレートに関する発明をするにいたった。【０００６】  即ち本発明に係わるゴルフクラブのフエース面上に貼る突状部を設けたプレートの厚さは１ｍｍから１５ｍｍ（好ましくは３ｍｍから８ｍｍ）で、外形形状が左右対称で短直線からなる側辺と、凹状の湾曲線を有する底辺と、凸状の湾曲腺を有するトップエッジ辺とで囲まれる形状をなしており、ゴルフクラブのフエース面の中心部分にあるスイートスポットの部分の箇所に、ゴルフクラブのフエース面上に貼る突状部を設けたプレートの突状部が重なるように形成され、さらに突状部は打球方向に突出させて、その突状部の外周から、プレートの外形形状の外周の端部に向かって薄くなるように傾斜させて形成されている。それに突状部に、打ったボールに良い回転が与えられるように、３本から８本の横溝を設けている。
【発明の効果】
【０００７】  本発明は以上説明したような形態で実施され、以下に記載されるような効果を奏する。本発明のゴルフクラブのフエース面上に貼る突状部を設けたプレートは、外形形状が左右対称でゴルフクラブのフエース面よりも小さいので、多くのメーカーのゴルフクラブのフエース面や、アイアンゴルフクラブのフエース面に貼り付けることが簡単である。さらに合成樹脂やゴム系樹脂や金属でつくるので耐久性に優れて安価である。ゴルフクラブのフエース面上に貼る突状部を設けたプレートを、ゴルフクラブのフエース面に貼っての打撃練習で、ボールをゴルフクラブのフエース面のスイートスポットを外して打つと、ゴルフクラブのフエース面上に貼る突状部を設けたプレートの突状部以外の傾斜部の箇所に当たるため、打ったボールの方向性が定まらず手や身体に不快な打撃感覚が伝わってくる。ボールを突状部で打つと突状部に設けた横溝により、回転を与えたボールを打つことができて、さらに突状部で打つということはスイートスポットでボールを捕らえていることなので、手や身体に爽快な打撃感覚が伝わってくるのである。だから一打打つごとに、ゴルフクラブのフエース面を見てスイートスポットで捕えることができたのかどうかを確認しなくても良く、打撃練習に打ち込むことができるので、比較的容易にスイートスポットでボールを捕える打法を会得することが可能である。
【発明を実施するための最良の形態】
【０００８】  本発明の実施するための最良の形態について、以下に説明する。図１に示すとおり、本発明に係わるゴルフクラブのフエース面に貼る突状部を設けたプレート（１）の厚さは１ｍｍから１５ｍｍ程度（好ましくは３ｍｍから８ｍｍ）で、外形形状（３）が左右対称で短直線からなる側辺（１１）と、凹状の湾曲線を有する底辺（５）と、凸状の湾曲線を有するトップエッジ辺（６）とで囲まれる形状をなしており、ゴルフクラブのフエース面やアイアンゴルフクラブのフエース面形状よりも小さい外形形状（３）を有し、中心部分に１０ｍｍから３０ｍｍ程度（好ましくは１５ｍｍから２５ｍｍ）の円形の突状部（２）又は図２に示すとおり楕円形の突状部（１４）を設けてあり、その突状部（２）と楕円形の突状部（１４）には３本から８本の横溝（１２）を設けてある。【０００９】  図５、図６、図７に示すとおり、ゴルフクラブのフエース面上に貼る突状部を設けたプレート（１）の断面図を見てわかるとおり、突状部（２）又は楕円形の突状部（１４）の外周から外形形状（３）の外周の端部に向かって薄くなるように傾斜させて形成してある。【００１０】  図３に示すとおり、ゴルフクラブのフエース面の中心部分にあるスイートスポットの箇所と、ゴルフクラブのフエース面上に貼る突状部を設けたプレート（１）の突状部（２）とが、重なるように形成されたゴルフクラブのフエース面上に貼る突状部を設けたプレート（１）の突状部（２）を、右打ちアイアンゴルフクラブのフエース面（４）の中心の箇所にあわせて貼りつけると、右打ちアイアンゴルフクラブのフエース面（４）にあるスイートスポットの箇所の上に、突状部（２）が重なって貼りつくのである。
【実施例１】
【００１１】  本発明の実施例を図面に基づき説明する。図１に示すとおり、本発明に係わるゴルフクラブのフエース面上に貼る突上部を設けたプレート（１）は、外形形状（３）が左右対称で、短直線からなる側辺（１１）と、凹状の湾曲線を有する底辺（５）と、凸状の湾曲線を有するトップエッジ辺（６）とで囲まれる形状をなしており、中央に突状部（２）を有しており、図５のＢ−Ｂ断面図と図６のＡ−Ａ断面図、それに図７のＣ−Ｃ断面図と図８のＥ−Ｅ断面図に示すようにゴルフクラブのフエース面上に貼る突状部を設けたプレート（１）の中央部を打球方向に向けて突出させており、その突状部（２）には３本から８本の横溝（１２）を設けている。図３、に示すようにゴルフクラブのフエース面上に貼る突状部を設けたプレート（１）は、ゴルフクラブのフエース面よりも小さめに形成されているので、右利き用左利き用のゴルフクラブのフエース面に貼り付けることができる。【００１２】  また、図５のＢ−Ｂ断面図に示すとおり、ゴルフクラブのフエース面に貼り付ける面（１５）と突状部（２）の面は、平行に形成されている。突状部の横端部（１０）から短直線からなる側辺（１１）にかけて薄くなるように傾斜させて形成されている。【００１３】  また、図７のＣ−Ｃ断面図に示すとおり、ゴルフクラブのフエース面上に貼り付ける面（１５）と突状部（２）の面は、突状部の上端部（８）を最大の厚みとして突状部の下端部（９）にかけて薄くなるように傾斜させて形成しており、それに突状部の下端部（９）から凹状の湾曲線を有する底辺（５）にかけても、薄くなるように傾斜させて形成されている。突状部の上端部（８）から凸状の湾曲線を有するトップエッジ（６）にかけても薄くなるように傾斜させて形成されている。打撃練習のとき、アイアンゴルフクラブのフエース面は、打つボールに対して斜め上から入ってボールを打ったほうが、ボールに良い回転を与えた打球を打つことができるので、ボールを斜め上から打ちやすいように、図７のゴルフクラブのフエース面上に貼る突状部を設けたプレート（１）の突状部（２）は、突状部の下端部（９）に向かって薄くなるように傾斜して形成されている。ドライバークラブのフエース面では、打つボールに対してボールの横を打ったほうが打球の飛距離を出すことができるので、図６のＡ−Ａ断面図に示すように、ゴルフクラブのフエース面上に貼る突状部を設けたプレート（１）のゴルフクラブのフエース面上に貼り付ける面（１５）と、突状部（２）の面が平行である方がボールの横の面を打ちやすいのでゴルフクラブのフエース面に貼りつける面（１５）と突状部（２）の面が平行に形成されている。【００１４】  また図３に示すように、突状部（２）を、右打ちアイアンゴルフクラブ（４）のフエース面の中央に貼り付けると、ゴルフクラブのフエース面上に貼る突状部を設けたプレート（１）の突状部（２）が、右打ちアイアンゴルフクラブ（４）のフエース面の中央にあるスイートスポットの箇所に重なって貼り付くのである。【００１５】  ゴルフクラブのフエース面上に貼る突状部を設けたプレート（１）の材質は、かかる加工がなし得れば合成樹脂またはゴム系樹脂あるいは金属でもよい。ただ、ゴルフクラブを振��感覚は通常のゴルフクラブを振った感覚と同じか、その感覚に近いほうが良いので、打撃練習をするときには、空気の抵抗や風の影響を受けることがなるべく少なくなるように、ゴルフクラブのフエース面上に貼る突状部を設けたプレート（１）は、できるだけ薄くして軽くして、ボールを打つ衝撃に耐えられるように形成してある。
【実施例２】
【００１６】  また、図８のＥ−Ｅ断面図と図９に示すとおり、突状部（２）だけを打球方向に突出させて、厚さは１ｍｍから１５ｍｍ（好ましくは３ｍｍから８ｍｍ）で形成してあるプレートや、また図１０、図１１に示すように、円柱形のプレート（１６）だけで厚さは１ｍｍから１５ミリメートル（好ましくは３ｍｍから８ｍｍ）にして形成してあるプレートを、ゴルフクラブのフエース面に貼り付けて打撃練習をして、ゴルフクラブのフエース面上に貼る円柱形のプレート（１６）の突状部（２）の箇所や突状部だけを突出させたプレート（１３）の突状部（２）の箇所にボールが当たったときは、ゴルフクラブのフエース面の中心の箇所に当たるため小さな衝撃が手や身体に爽快な打撃感覚として伝わり、ゴルフクラブのフエース面上に貼る円柱形のプレート（１６）の突状部（２）や突状部だけを突出させたプレート（１３）の突状部（２）以外にボールが当たったときには、ゴルフクラブのフエース面の中心から遠くなるために衝撃が大きくなって、手や身体に不快な打撃感覚となって伝わってくるのである。【００１７】  以上述べたように、本実施例に示したゴルフクラブのフエース面上に貼る突状部を設けたプレート（１）を、ドライバーゴルフクラブ又はアイアンゴルフクラブのフエース面に貼り付けて打撃練習をした場合には、突状部（２）が、ゴルフクラブのフエース面にあるスイートスポットの箇所に重なって貼りついているので、スイートスポットの箇所でボールを打つと言うことは、ゴルフクラブのフエース面上に貼る突状部を設けたプレート（１）の突状部（２）でボールを打ったということである。つまり、スイートスポットでボールを打つことができたということは、突状部（２）でボールを打つことができたことなので、手や身体に爽快な打撃感覚が伝わってくるのである。ゴルフクラブのフエース面上に貼る突状部を設けたプレート（１）の突状部（２）の外周から、外形形状（３）のすべての外周の端部に向かって傾斜している傾斜面でボールを打つということは、ボールが目的方向にとばないことであって、打撃衝撃が大きくなり手や身体に不快な打撃感覚が伝わってくるのである。
【図面の簡単な説明】
【００１８】
【図１】  図１は、本発明のゴルフクラブのフエース面上に貼る突状部を設けたプレートの正面図である。
【図２】  図２は、本発明の突状部の下端部を、凹状の湾曲線を有する底辺に向けて突状部をひろげて楕円形にした正面図である。
【図３】  図３は、本発明のゴルフクラブのフエース面上に貼る突状部を設けたプレートを、右打ちのアイアンゴルフクラブに貼り付けたところの正面図である。
【図４】  図４は、図３のＤ−Ｄ線断面図である。
【図５】  図５は、本発明の図１のＢ−Ｂ線断面図である。
【図６】  図６は、本発明の図１のＡ−Ａ線断面図である。
【図７】  図７は、図２のＣ−Ｃ線断面図である。
【図８】  図８は、図９のＥ−Ｅ線断面図である。
【図９】  図９は、ゴルフクラブのフエース面上に貼る突状部を設けたプレートで、突状部だけを突出させたプレートの正面図である。
【図１０】  図１０は、ゴルフクラブのフエース面上に貼る円柱形のプレートの正面図である。
【図１１】  図１１は、図１０のＦ−Ｆ線断面図である。
【符号の説明】
【００１９】１  ゴルフクラブのフエース面上に貼る突状部を設けたプレート
２  突状部
３  外形形状
４  右打ちのアイアンゴルフクラブ
５  凹状の湾曲線を有する底辺
６  凸状の湾曲線を有するトップエッジ辺
７  右打ちアイアンゴルフクラブフエース面の下端部
８  突状部の上端部
９  突状部の下端部
１０  突状部の側端部
１１  短直線からなる側辺
１２  横溝
１３  突状部だけを突出させたプレート
１４  楕円形の突状部
１５  ゴルフクラブのフエース面に貼り付ける面
１６  ゴルフクラブのフエース面上に貼る円柱形のプレート
【図１】
2007037937.tif 000003
【図２】
2007037937.tif 000004
【図３】
2007037937.tif 000005
【図４】
2007037937.tif 000006
【図５】
2007037937.tif 000007
【図６】
2007037937.tif 000008
【図７】
2007037937.tif 000009
【図８】
2007037937.tif 000010
【図９】
2007037937.tif 000011
【図１０】
2007037937.tif 000012
【図１１】
2007037937.tif 000013